(57)【要約】【課題】透光部の印刷段差を小さくして美観を向上させることが可能な照明装置を提供する。【解決手段】印刷層を有する透光性シート７２を立ち壁部７３が形成されるように絞り加工してなる表示板７と、この表示板７を照明する光源２１とを備え、立ち壁部７３を透光部７４として設け、この透光部７４に光源２１の光を拡散透過させる半透過膜８を形成し、この半透過膜８及び透光部７４を通じて光源２１の光を観察者とは反対側となる第１の面７５側から観察者側となる第２の面７６側に透過させて立ち壁部７３の周囲を照明してなる照明装置であって、半透過膜８を第１の面７５側に形成した。【選択図】図３
2008298504.tif 000002
【特許請求の範囲】
【請求項１】
印刷層を有する透光性シートを立ち壁部が形成されるように絞り加工してなる表示板と、この表示板を照明する光源とを備え、前記立ち壁部を透光部として設け、この透光部に前記光源の光を拡散透過させる半透過膜を形成し、この半透過膜及び前記透光部を通じて前記光源の光を観察者とは反対側となる第１の面側から観察者側となる第２の面側に透過させて前記立ち壁部の周囲を照明してなる照明装置であって、
前記半透過膜を前記第１の面側に形成したことを特徴とする照明装置。
【請求項２】
前記透光部の前記第２の面側が、前記透光性シートが露出した箇所として設けられていることを特徴とする請求項１記載の照明装置。
【請求項３】
前記半透過膜が着色されていることを特徴とする請求項１記載の照明装置。
【請求項４】
前記表示板が前記透光部からの光を前記観察者側に向けて反射する傾斜面を備えることを特徴とする請求項１記載の照明装置。
【発明の詳細な説明】
【技術分野】
【０００１】
本発明は、例えば各種車両に適用される計器装置のごとき照明装置に関し、特に印刷層を有する透光性シートを立ち壁部が形成されるように絞り加工してなる表示板と、この表示板を照明する光源とを備えた照明装置に係わる。
【背景技術】
【０００２】
この種の照明装置として、例えば下記特許文献１に記載されているものが知られている。
この照明装置は、印刷層を有する透光性シートを立ち壁部が形成されるように絞り加工してなる表示板と、この表示板を照明する光源とを備え、立ち壁部を透光部として設け、この透光部に光源の光をやわらげるための半透過膜を形成し、この半透過膜及び透光部を通じて光源の光を観察者とは反対側となる第１の面側から観察者側となる第２の面側に透過させて前記立ち壁部の周囲を照明することにより、装飾性の高い照明を行うものである。
【特許文献１】特開平０７−１１３６６４号公報
【発明の開示】
【発明が解決しようとする課題】
【０００３】
しかしながら、前記特許文献１記載の指針式計器は、半透過膜を透光部において観察者側となる第２の面側に設ける構成であるため、半透過膜の厚み分、印刷段差が大きくなって視認されることになるため、美観を損なってしまうという問題がある。更に透光部が第２の面側から半透過膜に覆われるため、透光部のクリア感が失われ、更に美観を損ねてしまうという問題がある。
【０００４】
本発明は、この点に鑑みてなされたもので、透光部の印刷段差を小さくして美観を向上させることが可能な照明装置を提供するものである。
【課題を解決するための手段】
【０００５】
本発明は、前記目的を達成するため、印刷層を有する透光性シートを立ち壁部が形成されるように絞り加工してなる表示板と、この表示板を照明する光源とを備え、前記立ち壁部を透光部として設け、この透光部に前記光源の光を拡散透過させる半透過膜を形成し、この半透過膜及び前記透光部を通じて前記光源の光を観察者とは反対側となる第１の面側から観察者側となる第２の面側に透過させて前記立ち壁部の周囲を照明してなる照明装置であって、前記半透過膜を前記第１の面側に形成したことを特徴とする。
【０００６】
また本発明は、前記透光部の前記第２の面側が前記透光性シートが露出した箇所として設けられていることを特徴とする。
【０００７】
また本発明は、前記半透過膜が着色されていることを特徴とする。
【０００８】
また本発明は、前記表示板が前記透光部からの光を前記観察者側に向けて反射する傾斜面を備えることを特徴とする。
【発明の効果】
【０００９】
本発明によれば、初期の目的を達成でき、透光部の印刷段差を小さくして美観を向上させることが可能な照明装置を提供することができる。
【発明を実施するための最良の形態】
【００１０】
図１〜図３は、本発明の一実施形態を示すもので、図１は本発明による照明装置を適用した指針式計器の要部正面図、図２は図１のＡ−Ａ断面図、図３は図２の矢視領域Ｂを拡大して示す要部断面図である。
【００１１】
図１、図２において、本実施形態による指針式計器は、背面カバー１と、回路基板２と、駆動本体３と、指針４と、フレーム体５と、導光体６と、表示板７とで構成されている。
【００１２】
背面カバー１は、合成樹脂からなり、回路基板２の背面（観察者側とは反対側の面）を覆うものである。
【００１３】
回路基板２は、指針４、表示板７を照明する複数の光源２１の他、図示しない回路パターンや各種回路素子が設けられた硬質の回路基板からなる。
【００１４】
駆動本体３は、例えばステッピングモータからなり、主要部が回路基板２の背面側に位置すると共に、指針軸３１が回路基板２を貫通して観察者側に延びている。
【００１５】
指針４は、計測量に応じて表示板７の観察者側を向く面（以下、第２の面という）上で回転するように指針軸３１に連結されると共に、光源２１からの光を受けて発光する。
【００１６】
フレーム体５は、例えば乳白色の合成樹脂からなり、回路基板２の観察者側を向く面上に配置され、表示板７を観察者側とは反対側から支持すると共に、光源２１を通じて指針４及び表示板７を照明する際の照明室を形成するものである。
【００１７】
導光板６は、フレーム体５と表示板７の観察者とは反対側を向く面（以下、第１の面という）との間に挟まれて支持されており、その一部は、表示板７から部分的に観察者側に突出して指針４に対応した目盛６１を構成すると共に、更に他の一部は、表示板７の後述する透光部に対向する照射部６２として形成されている。
【００１８】
表示板７は、図３に示すように、指針４に対応した図示しない指標部を光透過性の印刷層で、この指標部の背景となる地部７１を遮光性の印刷層でそれぞれ形成してなる透光性シート（透明な合成樹脂シート）７２を、立ち壁部７３が形成されるように絞り加工してなるもので、この場合、立ち壁部７３となる箇所は、図３に示すように、導光体６の照射部６２からの照射光を透過可能な透光部７４として設けられている。
【００１９】
透光部７４は、地部７１が除かれることによって、光源２１の光を観察者とは反対側となる第１の面側７５から観察者側となる第２の面７６側に透過させる箇所からなり、その透過光（照射光）によって立ち壁部７３の周囲に、立ち壁部７３と対向するように形成した傾斜面７７の表面を照明できるようになっている。
【００２０】
またこの透光部７４には、その第１の面７５側に半透過膜８が形成され、この結果、透光部７４の第２の面側７ｂは透光性シート７５の一部が露出した箇所として設けられている。
【００２１】
半透過膜８は、光拡散透過機能を有する透光性印刷層からなり、透過光を拡散透過し、立ち壁部７３の外周に位置する傾斜面７７をムラを抑えた状態でまんべんなく照明し、これにより装飾性を高めている。
【００２２】
また半透過膜８は、この場合、適宜色に着色されており、透光部７４を通じて不要な箇所が透けて見えてしまうことを防止している。
【００２３】
以上のように、本実施形態では、印刷層を有する透光性シート７２を立ち壁部７３が形成されるように絞り加工してなる表示板７と、この表示板７を照明する光源２１とを備え、立ち壁部７３を透光部７４として設け、この透光部７４に光源２１の光を拡散透過させる半透過膜８を形成し、この半透過膜８及び透光部７４を通じて光源２１の光を観察者とは反対側となる第１の面７５側から観察者側となる第２の面７６側に透過させて立ち壁部７３の周囲を照明してなる照明装置であって、半透過膜８を第１の面７５側に形成したことにより、第２の面７６側に半透過膜８による印刷段差が形成されないため、印刷段差を小さくでき、これにより美観を向上させることができる。
【００２４】
また本実施形態では、透光部７４の第２の面７６側が透光性シート７２が露出した箇所として設けられていることにより、クリア感を演出でき、更に美観を向上させることができる。
【００２５】
また本実施形態では、半透過膜８が着色されていることにより、不要エリアが透けて見えることを防止することができる。
【００２６】
また本実施形態は、表示板７が透光部７４からの光を観察者側に向けて反射する傾斜面７７を備えることにより、透光部７４からの光を効率よく反射することができる。
【図面の簡単な説明】
【００２７】
【図１】本発明の一実施形態による指針式計器の要部正面図。
【図２】図１のＡ−Ａ断面図。
【図３】図２の矢視領域Ｂを拡大して示す要部断面図。
【符号の説明】
【００２８】
１  背面カバー
２  回路基板
３  駆動本体
４  指針
５  フレーム体
６  導光体
７  表示板
８  半透過膜
２１  光源
３１  指針軸
６１  目盛
６２  照射部
７１  地部
７２  透光性シート
７３  立ち壁部
７４  透光部
７５  第１の面
７６  第２の面
７７  傾斜面
【図１】
2008298504.tif 000003
【図２】
2008298504.tif 000004
【図３】
2008298504.tif 000005